(57)【要約】【課題】コントローラが、操作部もしくは外部から前記省エネ復帰要因信号を受けとった際に、電源供給装置に第１の省エネ復帰信号を送信すると共に、操作部に対して第２の省エネ復帰信号を送信する画像形成装置を提供する。【解決手段】操作部３内の第３ＣＰＵ１３は、ＰＯＮ＿ＥＮＧ＿ｎ信号とＥＮＧ＿ＥＮＡＢＬＥ＿ｎの２本の信号がアサート時に、ＥＮＧ＿ＥＮＡＢＬＥ＿ｎがアサートされていればコントローラ１から操作部Ｉ／Ｆ経由で送られてくるコマンドを待たずに操作部３の表示とバックライト点灯の処理を行なう。アサートされていない場合、コマンドを待ち、指示に従う。それまでは操作部３は非表示、バックライトＯＦＦする。【選択図】図２
2008139791.tif 000002
【特許請求の範囲】
【請求項１】
コントローラと、操作部と、電源供給装置とを有し、
前記コントローラと、前記操作部と、前記電源供給装置との間で、省エネ復帰要因信号と第１の省エネ復帰信号の送受により省エネ状態に移行可能な画像形成装置であって、
前記コントローラは、前記操作部もしくは外部から前記省エネ復帰要因信号を受けとった際に、前記電源供給装置に前記第１の省エネ復帰信号を送信すると共に、前記操作部に対して第２の省エネ復帰信号を送信することを特徴とする画像形成装置。
【請求項２】
前記外部は、圧版またはＡＤＦであることを特徴とする請求項１に記載の画像形成装置。
【請求項３】
前記第１の省エネ省復帰信号は、ＰＯＮ＿ＥＮＧ＿ｎであることを特徴とする請求項１に記載の画像形成装置。
【請求項４】
前記第２の省エネ省復帰信号は、ＥＮＧ＿ＥＮＡＢＬＥ＿ｎであることを特徴とする請求項１に記載の画像形成装置。
【請求項５】
前記第２の省エネ復帰信号は、ユーザが印刷動作をするために機械の操作を実施した際に前記省エネ復帰要因信号により変化する信号であることを特徴とする請求項１に記載の画像形成装置。
【請求項６】
前記第２の省エネ復帰信号は、圧版の開閉時に変化することを特徴とする請求項５に記載の画像形成装置。
【請求項７】
前記第２の省エネ復帰信号は、サブ電源キー押下時に変化することを特徴とする請求項５に記載の画像形成装置。
【請求項８】
前記第２の省エネ復帰信号は、ＵＳＢホストからのＩＣカードリーダ検知時に変化することを特徴とする請求項５に記載の画像形成装置。
【請求項９】
前記第２の省エネ復帰信号は、カードディテクトによるＳＤカードの挿入時に変化することを特徴とする請求項５に記載の画像形成装置。
【請求項１０】
前記第２の省エネ復帰信号は、ＰｉｃｔＢｒｉｄｇｅもしくはＵＳＢメモリをＵＳＢホストへ挿入時に変化することを特徴とする請求項５に記載の画像形成装置。
【請求項１１】
前記第２の省エネ復帰信号は、ＡＤＦへの原稿セット時に変化することを特徴とする請求項５に記載の画像形成装置。
【請求項１２】
コントローラと、プリンタエンジンと、電源供給装置とを有し、
前記コントローラと、前記プリンタエンジンと、前記電源供給装置との間で、省エネ復帰要因信号と第１の省エネ復帰信号の送受により省エネ状態に移行可能な画像形成装置であって、
前記コントローラは、外部から前記省エネ復帰信号を受けとった際に、前記電源供給装置に前記第１の省エネ省復帰信号を送信すると共に、前記プリンタエンジンに対して第２の省エネ復帰信号を送信することを特徴とする画像形成装置。
【請求項１３】
前記外部は、圧版、ＡＤＦ、操作部の少なくとも１つであることを特徴とする請求項１２に記載の画像形成装置。
【請求項１４】
コントローラと、プリンタエンジンと、電源供給装置と、格納手段とを有し、
前記コントローラと、前記プリンタエンジンと、前記電源供給装置との間で、省エネ復帰要因信号と第１の省エネ復帰信号の送受により省エネ状態に移行可能な画像形成装置であって、
前記コントローラは、外部から前記省エネ復帰信号を受けとった際に、前記電源供給装置に前記第１の省エネ省復帰信号を送信し、前記電源供給装置の電源供給によるプリンタエンジンの電源ＯＮ直後、ＥＮＧ＿ＥＮＡＢＬＥ＿ｎのステータスを確認し、前記格納手段アクセス時には、前記ステータスを静音モードとすることを特徴とする画像形成装置。
【請求項１５】
前記格納手段アクセス時に、定着ヒータを先にＯＮし、定着冷却用ファンをＯＦＦすることを特徴とする請求項１４に記載の画像形成装置。
【請求項１６】
前記格納手段アクセス時に、定着ヒータと、定着冷却用ファンとを同時にＯＮすることを特徴とする請求項１４に記載の画像形成装置。
【発明の詳細な説明】
【技術分野】
【０００１】
本発明は、省エネ時からの復帰速度を高める画像形成装置に関する。
【背景技術】
【０００２】
プリンタやコピー、ＭＦＰ等の機器で、省エネ機能を有するものは、その復帰方法において、立ち上がり時間やエンジンの制御による省エネ向上が望まれてきた。これまでは機械の状態に応じて消費電力を抑える為に、低電力状態では定着ヒータの維持温度を低く設定してヒータの熱用の電力を抑えたり、スリープ状態ではメインコントローラにまわす一部の電力を除き電源をＯＦＦするなどの対策が行われてきた。その他、立ち上がり時間やエンジンの制御に関する従来技術を以下に例示する。
【０００３】
例えば特許文献１では、ベースエンジン制御部の立ち上げに際し、立ち上げに最も時間のかかるタスクから不揮発性メモリの制御用データの供給を受けて起動するように、それによって各タスクの制御データの受領待ちによる時間的ロスをなくした画像形成装置および該装置における制御用データ制御方法が提案されている。
【０００４】
また特許文献２では、サブ制御部に、起動時の鏡銅初期化処理などの単純な処理を担当させ、メイン制御部には、その残りの鏡銅初期化処理の実行の継続と、鏡銅の最終停止制御などの要求制度が高い処理を担当させる役割分担により、起動に要する時間の短縮と、ズーム停止制精度の確保を図ることができるコストの安い高速起動撮影装置が提案されている。
【０００５】
また、従来の省エネ移行可能な画像形成装置は、図６に示すとおり操作部へ“静音立ち上げ、ＯＲ通常立ち上げ”の何れかであることを判断し、その結果をＣＴＬの起動時に、コマンドで操作部に伝えていた。
【０００６】
静音立上げとは、省エネからの復帰時に各ユニットへ電圧は出力するが、ＦＡＮやエンジンの調整など音の発生する処理を一切行わない省エネ復帰方法である。また、音以外に操作部の点灯も行わないことを言う。
通常立上げとは、省エネからの復帰時、各ユニットの電源を入れると共に印刷に必要な処理を行いすぐに印刷可能な状態にする省エネ復帰方法である。
【０００７】
つまり従来では、コントローラからのコマンドが来るまで、操作部の表示は行なわなかった。
【０００８】
静音立ち上げのときは、バックライトも含め操作部には何も表示したくないが、コントローラからのコマンドが来る前に操作部が表示をしてしまうと、静音立ち上げ時に一時的に操作部表示してしまうためである。
【特許文献１】特開２００２−２７１６２号公報
【特許文献２】特開２００４−７０１７６号公報
【発明の開示】
【発明が解決しようとする課題】
【０００９】
しかしながら、コントローラからのコマンドが来てから操作部の表示をするのでは、省エネからの復帰時に操作部オフ状態から、ユーザが操作し画面に何らかの表示ができるようになるまでの期間が長いという問題が起きる。
【００１０】
そこで本発明は、コントローラが、操作部もしくは外部から前記省エネ復帰要因信号を受けとった際に、電源供給装置に第１の省エネ復帰信号を送信すると共に、操作部に対して第２の省エネ復帰信号を送信する画像形成装置を提供することを目的とする。
【課題を解決するための手段】
【００１１】
上記の目的を達成するため、請求項１に記載の発明は、コントローラと、操作部と、電源供給装置とを有し、前記コントローラと、前記操作部と、前記電源供給装置との間で、省エネ復帰要因信号と第１の省エネ復帰信号の送受により省エネ状態に移行可能な画像形成装置であって、前記コントローラは、前記操作部もしくは外部から前記省エネ復帰要因信号を受けとった際に、前記電源供給装置に前記第１の省エネ復帰信号を送信すると共に、前記操作部に対して第２の省エネ復帰信号を送信する画像形成装置であることを特徴とする。
【００１２】
請求項２に記載の発明は、請求項１に記載の画像形成装置において、前記外部は、圧版またはＡＤＦであることを特徴とする。
【００１３】
請求項３に記載の発明は、請求項１に記載の画像形成装置において、前記第１の省エネ省復帰信号は、ＰＯＮ＿ＥＮＧ＿ｎであることを特徴とする。
【００１４】
請求項４に記載の発明は、請求項１に記載の画像形成装置において、前記第２の省エネ省復帰信号は、ＥＮＧ＿ＥＮＡＢＬＥ＿ｎであることを特徴とする。
【００１５】
請求項５に記載の発明は、請求項１に記載の画像形成装置において、前記第２の省エネ復帰信号は、ユーザが印刷動作をするために機械の操作を実施した際に前記省エネ復帰要因信号により変化する信号であることを特徴とする。
【００１６】
請求項６に記載の発明は、請求項５に記載の画像形成装置において、前記第２の省エネ復帰信号は、圧版の開閉時に変化することを特徴とする。
【００１７】
請求項７に記載の発明は、請求項５に記載の画像形成装置において、前記第２の省エネ復帰信号は、サブ電源キー押下時に変化することを特徴とする。
【００１８】
請求項８に記載の発明は、請求項５に記載の画像形成装置において、前記第２の省エネ復帰信号は、ＵＳＢホストからのＩＣカードリーダ検知時に変化することを特徴とする。
【００１９】
請求項９に記載の発明は、請求項５に記載の画像形成装置において、前記第２の省エネ復帰信号は、カードディテクトによるＳＤカードの挿入時に変化することを特徴とする。
【００２０】
請求項１０に記載の発明は、請求項５に記載の画像形成装置において、前記第２の省エネ復帰信号は、ＰｉｃｔＢｒｉｄｇｅもしくはＵＳＢメモリをＵＳＢホストへ挿入時に変化することを特徴とする。
【００２１】
請求項１１に記載の発明は、請求項５に記載の画像形成装置において、前記第２の省エネ復帰信号は、ＡＤＦへの原稿セット時に変化することを特徴とする。
【００２２】
請求項１２に記載の発明は、請求項５に記載の画像形成装置において、コントローラと、プリンタエンジンと、電源供給装置とを有し、前記コントローラと、前記プリンタエンジンと、前記電源供給装置との間で、省エネ復帰要因信号と第１の省エネ復帰信号の送受により省エネ状態に移行可能な画像形成装置であって、前記コントローラは、外部から前記省エネ復帰信号を受けとった際に、前記電源供給装置に前記第１の省エネ省復帰信号を送信すると共に、前記プリンタエンジンに対して第２の省エネ復帰信号を送信する画像形成装置であることを特徴とする。
【００２３】
請求項１３に記載の発明は、請求項１２に記載の画像形成装置において、前記外部は、圧版、ＡＤＦ、操作部の少なくとも１つであることを特徴とする。
【００２４】
請求項１４に記載の発明は、コントローラと、プリンタエンジンと、電源供給装置と、格納手段とを有し、前記コントローラと、前記プリンタエンジンと、前記電源供給装置との間で、省エネ復帰要因信号と第１の省エネ復帰信号の送受により省エネ状態に移行可能な画像形成装置であって、前記コントローラは、外部から前記省エネ復帰信号を受けとった際に、前記電源供給装置に前記第１の省エネ省復帰信号を送信し、前記電源供給装置の電源供給によるプリンタエンジンの電源ＯＮ直後、ＥＮＧ＿ＥＮＡＢＬＥ＿ｎのステータスを確認し、前記格納手段アクセス時には、前記ステータスを静音モードとする画像形成装置であることを特徴とする。
【００２５】
請求項１５に記載の発明は、請求項１４に記載の画像形成装置において、前記格納手段アクセス時に、定着ヒータを先にＯＮし、定着冷却用ファンをＯＦＦすることを特徴とする。
【００２６】
請求項１６に記載の発明は、請求項１４に記載の画像形成装置において、前記格納手段アクセス時に、定着ヒータと、定着冷却用ファンとを同時にＯＮすることを特徴とする。
【発明の効果】
【００２７】
本発明によれば、コントローラが、操作部もしくは外部から前記省エネ復帰要因信号を受けとった際に、電源供給装置に第１の省エネ復帰信号を送信すると共に、操作部に対して第２の省エネ復帰信号を送信する画像形成装置を提供することが可能となる。
【発明を実施するための最良の形態】
【００２８】
本発明の好適な実施形態について説明する。
【００２９】
本実施形態の好適な画像形成装置の構成、動作について図１を用いて説明する。図１は、本実施形態の画像形成装置の構成をブロック図で示す。
【００３０】
本実施形態の画像形成装置は、コントローラ１と、エンジン２と、操作部３と、ＡＤＦ（もしくは圧版）４と、定着冷却用ファン５と、定着ヒータ６と、プロッタ７と、ＰＳＵ８と、ＨＤＤ９と、主電源１０とを有する構成である。コントローラ１は、本実施形態の画像形成装置が省エネ状態のときに、省エネ復帰信号を入力し、省エネから復帰のトリガを装置に対して通知するＰＯＮ＿ＥＮＧ＿ｎの信号線を有する第１ＡＳＩＣ２１と、第１ＣＰＵ１１と、第１ＲＡＭ３１と、第１ＲＯＭ４１と、ＳＤカード５１と、ＵＳＢホスト６１とを有する。エンジン２は、第２ＣＰＵ１２と、第２ＡＳＩＣ２２と、第２ＲＡＭ３２と、第２ＲＯＭ４２とを有する。操作部３は、第３ＣＰＵ１３と、バックライト２３と、第３ＲＡＭ３３と、サブ電源キー４３とを有する。
【００３１】
コントローラ１は、省エネ復帰時にＰＯＮ＿ＥＮＧ＿ｎとほぼ同じタイミングでＥＮＧ＿ＥＮＡＢＬＥ＿ｎを出力する。
【００３２】
これにより、省エネ状態からの復帰時にＥＮＧ＿ＥＮＡＢＬＥ＿ｎをトリガとして操作パネルのバックライトを点灯・若しくは消灯状態を保つことができる。
【００３３】
また、本実施形態の画像形成装置は、図１もしくは上記構成を有することで、以下に示す機能を有している。
【００３４】
ＡＤＦ（または圧板）４を持ち、これらをユーザが操作（センサの出力）することによって省エネ復帰要因の信号を発生させる事が出来る。
【００３５】
また上述したように、本実施形態の画像形成装置は、サブ電源キー４３をもった操作部３を有することで、ユーザの操作によって省エネ状態への移行が可能である。
【００３６】
従来までの画像形成装置とは違い、上記のユーザ操作（圧板開閉、ＡＤＦへの原稿セット、サブ電源キー押下など）で有効になる信号線は、操作部３のＩ／Ｆとは別に設ける。
【００３７】
また従来では、省エネからの立ち上げモードはエンジン２←→コントローラ１のＩ／Ｆが開通後、立ち上げモードが確定していた。よって復帰方法によらず、立ち上げモードが確定するのはエンジン２←→コントローラ１のＩ／Ｆが開通後であった。
【００３８】
上述したように、ＥＮＧ＿ＥＮＡＢＬＥ＿ｎという信号を設ける事で、エンジン２←→コントローラ１のＩ／Ｆが開通を待たずに立ち上げモードを決定できる。
また、ＥＮＧ＿ＥＮＡＢＬＥ＿ｎは、ユーザが早く使用できる状態で立ち上げる為の復帰信号をハード的な信号線でロジックに入力し、その用途で使用できる信号線の論理積を取って出力している。
【００３９】
印刷を早くできる状態で立ち上げるための信号線は、ユーザが印刷動作をするために機械を操作を実施した時に変化する信号線である必要があり、その操作及び箇所は以下のような物が考えられる。
（１）圧板の開閉時（原稿セット時）
（２）ＰＷＲ＿ＳＷ（サブ電源キー）押下時
（３）ＩＣカードリーダ検知（ＵＳＢホストからの検知）時
（４）ＳＤカードの挿入（カードディテクト）時
（５）ＰｉｃｔＢｒｉｄｇｅ若しくはＵＳＢメモリをＵＳＢホストへ挿入（ＵＳＢホストでのデバイス検知）時
（６）ＡＤＦへの原稿セット時
上記六つの復帰要因動作をＡＳＩＣ：Ｗｈｉｓｔｌｅに入力し、ＥＮＧ＿ＥＮＡＢＬＥ＿ｎを出力する。
【００４０】
本実施形態の第１ＡＳＩＣ２１はコントローラ１上に実装されていて、省エネ時もこの第１ＡＳＩＣ２１については電源が入ったままになっている。また、サブである第１ＣＰＵ１１を有しており、上記復帰信号の変化を検知してＬを出力する。
【００４１】
本実施形態によれば、プリンタやＭＦＰを外部からの操作で省エネ状態から復帰させる場合もしくは復帰の手段が複数に分かれるために機械を省エネ状態から復帰させる時、静音モードで立ち上げるか、ユーザが早く使用できる状態で立ち上げるかの選択を前記復帰の手段によって判別可能とすることで、ユーザビリティを向上させることができる。
【００４２】
本実施形態の画像形成装置の詳細な動作について図１、図２を用いて説明する。図２は、本実施形態によりＥＮＧ＿ＥＮＡＢＬＥ＿ｎを追加したシステムの省エネ状態からの復帰フローチャートを示す。
【００４３】
操作部３内の第３ＣＰＵ１３は、ＰＯＮ＿ＥＮＧ＿ｎ信号とＥＮＧ＿ＥＮＡＢＬＥ＿ｎの２本の信号がアサート時に、ＥＮＧ＿ＥＮＡＢＬＥ＿ｎがアサートされていればコントローラ１から操作部Ｉ／Ｆ経由で送られてくるコマンドを待たずに操作部３の表示とバックライト点灯の処理を行なう。アサートされていない場合、コマンドを待ち、指示に従う。それまでは操作部３は非表示、バックライトＯＦＦする。
【００４４】
これにより、ユーザがＭＦＰの前にいて操作部に何も表示しない期間を短縮できる。
【００４５】
本実施形態のエンジン立ち上げの動作について、図１、図３、図７を用いて従来の省エネ移行可能な画像形成装置と本実施形態の画像形成装置とを比較し、説明する。図３は、本実施形態の画像形成装置の省エネ復帰時のフローチャートを示す。図７は従来の省エネ移行可能な画像形成装置の立上げのフローチャートを示す。
【００４６】
図７に示すように、従来では、データをコントローラが受け付けてから、エンジンの電源をＯＮする信号（ＰＯＮ＿ＥＮＧ＿ｎ）を送信する。この後エンジン‐コントローラ間でエンジンの立ち上げモードを確定する必要がある（前述した静音立ち上げモードおよび通常立ち上げモード）。コントローラが立ち上がってからでないとエンジンの立ち上げモードが決まらないため、エンジン側の対応が遅くなる。
【００４７】
エンジン２側はコントローラ１が立ち上がるまでの期間、定着ヒータ６のみをＯＮするが、その他はＯＦＦ状態で立ち上げモードの確定を待っている。
【００４８】
しかしながら図３に示すように、本実施形態の画像形成装置では、エンジン２側に電源をＯＮする信号を送信するとほぼ同時にＥＮＧ＿ＥＮＡＢＬＥ＿ｎのステータスが確定しているため、プリントデータを受け付けてからエンジン２の起動をコントローラ１の立ち上がりを待たずに実施する。
【００４９】
これにより、プリントデータを受信してからエンジン２を立ち上げるまでの時間を短縮する事が可能になる。
【００５０】
また、ネットワーク経由でプリンタやＭＦＰのＨＤＤにアクセスをする場合、エンジン側にはアクセスの必要が無いため、不要な動作を削減することができる。
【００５１】
上述したように、従来の省エネ移行可能な画像形成装置においては、プリンタやＭＦＰで省エネ状態に入っている場合、プリントデータを送信すると機械はデータを受け付けてから、エンジンを立ち上げていたのでデータインしてからプリントを開始するまでの時間がかかっていた。本実施形態では、データインしてからプリントを開始するまでの時間を短縮することができ、ユーザビリティが高い。
【００５２】
従来では、ネットワーク経由でデータを受信した場合、コントローラからエンジン側の電源の復帰信号ＰＯＮＥＮＧ＿ｎを出力し電源を入れていた。また、これと同時に定着ヒータもＯＮしており（図７参照）、エンジン←→コントローラのＩ／Ｆが開通後、動作モードがエンジン側に通知され、定着ヒータをソフトウェアでオフしていた。
【００５３】
本実施形態の画像形成装置では、エンジン２の電源ＯＮ直後にＥＮＧ＿ＥＮＡＢＬＥ＿ｎのステータスを確認し、ＨＤＤアクセス時は、このステータスを静音モードし、エンジン２側は静音モードにて復帰を開始する。
【００５４】
これにより、ネットワーク経由でのＨＤＤアクセス時に不要な定着ヒータ６の電力を削減する事が可能になる。
【００５５】
本実施形態の画像形成装置の定着ヒータＯＮまたはＯＦＦの動作について、図１、図４、図８を用いて従来の画像形成装置と比較し、説明する。図４は、本実施形態の画像形成装置の復帰時の定着ヒータの様子をフローチャートで示す。図８は、従来の省エネ移行可能な画像形成装置の電源供給時の定着ヒータの様子をフローチャートで示す。
【００５６】
本実施形態の画像形成装置では、定着ヒータ６ＯＮ後の期間はエンジン２←→コントローラ１のＩ／Ｆの開通の期間によって変化するが、コントローラ１の内部処理に時間が掛かると開通までの時間が延長される。このような場合に、定着の熱問題を回避するため、タイマー機能により定着ヒータ６をオフする仕組みを入れている。
【００５７】
但し定着ヒータ６と定着冷却用ファン５は同時に起動するのが望ましい。
【００５８】
図８に示すように、従来では、ネットワーク経由でデータを受信した場合は、コントローラ１からエンジン２側の電源の復帰信号ＰＯＮ＿ＥＮＧ＿ｎを出力し電源を入れていた。また、これと同時に定着ヒータ６もＯＮしており、エンジン２←→コントローラ１のＩ／Ｆが開通後、動作モードがエンジン側に通知され、定着ヒータ６をソフトウェアでオフしていた。
【００５９】
しかし本実施形態の画像形成装置では、エンジン２の電源ＯＮ直後にＥＮＧ＿ＥＮＡＢＬＥ＿ｎのステータスを確認し、ＨＤＤアクセス時はこのステータスを静音モードとする。エンジン２側は静音モードにて復帰を開始する（復帰動作は図４参照）。
【００６０】
これにより、ネットワーク経由でのＨＤＤアクセス時に定着冷却用ファン５が回転しない状態で定着ヒータ６をＯＮにする事が無くなり、熱問題が発生しなくなる。また、初期段階でステータスが決定しているため、熱対策用にタイマーで定着ヒータ６をオフにする必要が無くなる。
【００６１】
また、本実施形態の画像形成装置では、ネットワーク経由でプリンタやＭＦＰのＨＤＤにアクセスをする場合に、高速で立ち上げるための施策として定着ヒータ６を先にＯＮにしている。但し、立ち上げモードでは、この時点で確定しておらず静音モードの可能性もあるため、騒音レベルを上げないために定着冷却用ファン５は、ＯＦＦしている。定着ヒータ６は定着冷却用ファン５の動作を前提に熱設計をしており、定着ヒータ６ＯＮ後の期間が長くなると熱による問題が発生することを防ぐことが可能である。
【００６２】
本実施形態の画像形成装置の定着ヒータのＯＮまたはＯＦＦの動作について、図５、図９を用いて説明する。図５は、本実施形態の画像形成装置のＥＮＧ＿ＥＮＡＢＬＥ＿ｎによる復帰信号の入力直後の定着ヒータの様子をフローチャートで示す。図９は、従来の省エネ移行可能な画像形成装置のエンジン−コントローラが開通する迄の定着ヒータの様子をフローチャートで示す。
【００６３】
図９に示すように、従来の省エネ移行可能な画像形成装置では、通常復帰時は復帰要因の信号をコントローラが受信後、エンジン←→コントローラのＩ／Ｆが開通する迄の期間は定着ヒータの電源および定着冷却用ファンがＯＦＦした状態となっている。
【００６４】
また、定着ヒータ６の熱の問題を考慮した場合、定着ヒータ６をソフトウェアで制御しない場合は、従来のシステムでは定着ヒータ６と定着冷却用ファン５を同時にＯＮする方法をとる。但し、従来の省エネ移行可能な画像形成装置の場合では、エンジン←→コントローラのＩ／Ｆが開通するのを待ってからこの動作を実施せざるを得ないため（それまでは、立上げモードが確定しておらず、仮に静音モードの場合は定着冷却用ファンをＯＮ出来ないため）、通常立上げ時の復帰時間が延びてしまっていた。
【００６５】
しかし、図５に示すように、本実施形態の画像形成装置では、ＥＮＧ＿ＥＮＡＢＬＥ＿ｎの信号状態を省エネ復帰時に確認し、ＢＡＳＩＣ（ベーシック）機の場合は常にイネーブルとなる。これにより、復帰信号の入力直後から定着ヒータ６および定着冷却用ファン５をＯＮする事ができる。これは、立上げ時間の短縮が可能とすることができる。
【００６６】
またＢＡＳＩＣ機では、ユーザからの省エネ復帰操作により、従来方式よりも早くエンジンの復帰が可能となるため、ユーザの待ち時間が減少できる。
【００６７】
本実施形態の画像形成装置によれば、ユーザがプリントを実施するとき省エネ状態に入っている機械を従来よりも早く復帰させる事が可能になる。
【００６８】
本発明はこれらの機器のシステムにＥＮＧ＿ＥＮＡＢＬＥ＿ｎというハードウェア上の信号線を設けることで、省エネからの復帰方法を従来の方式より高速で起動し、ユーザが使用できるようにすることを狙ったものである。またこの信号線を追加する事により、省エネについても有利となる。
【図面の簡単な説明】
【００６９】
【図１】本実施形態の画像形成装置の構成の一例を示すブロック図である。
【図２】本実施形態の画像形成装置におけるＥＮＧ＿ＥＮＡＢＬＥ＿ｎを追加したシステムの省エネ状態からの復帰を示すフローチャート図である。
【図３】本実施形態の画像形成装置における省エネ復帰時のフローチャート図である。
【図４】本実施形態における本実施形態の画像形成装置の復帰時の定着ヒータの様子を示すフローチャート図である。
【図５】本実施形態におけるＥＮＧ＿ＥＮＡＢＬＥ＿ｎによる復帰信号の入力直後の定着ヒータの様子を示すフローチャート図である。
【図６】従来の画像形成装置における操作部への表示を示すフローチャート図である。
【図７】従来の画像形成装置におけるエンジン立ち上げ時を示すフローチャート図である。
【図８】従来の画像形成装置における電源供給時の定着ヒータの様子を示すフローチャート図である。
【図９】従来の画像形成装置におけるエンジン−コントローラが開通する迄の定着ヒータの様子を示すフローチャート図である。
【符号の説明】
【００７０】
１    コントローラ
２    エンジン
３    操作部
４    ＡＤＦ（圧版）
５    定着冷却ファン
６    定着ヒータ
７    プロッタ
８    ＰＳＵ
９    ＨＤＤ
１０    主電源
１１    第１ＣＰＵ
１２    第２ＣＰＵ
１３    第３ＣＰＵ
２１    第１ＡＳＩＣ
２２    第２ＡＳＩＣ
３１    第１ＲＡＭ
３２    第２ＲＡＭ
３３    第３ＲＡＭ
４１    第１ＲＯＭ
４２    第２ＲＯＭ
４３    サブ電源
５１    ＳＤカード
６１    ＵＳＢホスト
【図１】
2008139791.tif 000003
【図２】
2008139791.tif 000004
【図３】
2008139791.tif 000005
【図４】
2008139791.tif 000006
【図５】
2008139791.tif 000007
【図６】
2008139791.tif 000008
【図７】
2008139791.tif 000009
【図８】
2008139791.tif 000010
【図９】
2008139791.tif 000011